(57)【要約】【課題】  基材の表面部に対する着色材料の使用量を少なくすることができ、容易に基材の表面部とＶ溝部に選択的に異なる着色を施すことが可能な、木質床材の製造方法を提供すること。【解決手段】  Ｖ溝部２１を有する基材１の表面部２０及びＶ溝部２１に透明フィルム６０を接着して製造する木質床材の製造方法であって、Ｖ溝部に着色材料３１を供給した後、透明フィルムを表面部に接着し、次いで透明フィルムの上からＶ溝部に沿って加圧し、着色材料と透明フィルムを密着する。【選択図】図１
2015147387.tif 000002
【特許請求の範囲】
【請求項１】
Ｖ溝部を有する基材の表面部及びＶ溝部に透明フィルムを接着して製造する木質床材の製造方法であって、前記Ｖ溝部に着色材料を供給した後、前記透明フィルムを前記表面部に接着し、次いで前記透明フィルムの上から前記Ｖ溝部に沿って加圧し、前記着色材料と前記透明フィルムを密着することを特徴とする木質床材の製造方法。
【請求項２】
前記着色材料が流動性を有し、前記透明フィルムの上から前記Ｖ溝部に沿って加圧したときに前記Ｖ溝部に拡散することを特徴とする請求項１に記載の木質床材の製造方法。
【請求項３】
前記着色材料の供給として、断面Ｖ字で長尺形状の着色部材を載置することを特徴とする請求項１に記載の木質床材の製造方法。
【請求項４】
前記着色材料が接着機能を有することを特徴とする請求項１から３のいずれか一項に記載の木質床材の製造方法。
【発明の詳細な説明】
【技術分野】
【０００１】
本発明は、木質床材の製造方法に関する。
【背景技術】
【０００２】
従来、表面にＶ溝部を有する木質床材においては、表面部の色とＶ溝部の色を異なった色とするのが一般的である。
【０００３】
このような、表面部の色とＶ溝部の色を異なる色とする目的は、木質床材の表面柄の各ピースを明確にすることであり、通常、Ｖ溝部の色を表面部の色に比べて濃色に着色する。
【０００４】
従来のＶ溝部を有する木質床材の一般的な着色方法としては、図３に示すように、まず、スポンジロール等の弾力を有する塗布ローラー５０で、Ｖ溝部２１を着色する色の着色剤３１を、基材１の表面部２０及びＶ溝部２１全体に塗布する（図３（Ａ））。
【０００５】
次に、Ｖ溝部２１表面の着色剤３１に当接しない金属ロール等の硬質の掻き取りローラー５１を逆回転でかけて、表面部２０の着色剤３１のみを掻き取り除去する（図３（Ｂ））。
【０００６】
次に、Ｖ溝部２１に当接しない金属ロール等の硬質の塗布ローラー４０で、表面部２０を着色する色の着色剤３０を、表面部２０のみに塗布する（図３（Ｃ））。このような方法により、表面部２０とＶ溝部２１を異なった色で着色することができる。
【０００７】
しかしながら、この方法では、掻き取りローラー５１により表面部２０の着色剤３１のみを掻き取り除去しても、表面部２０に染み込んだ着色剤３１が除去しきれずＶ溝部２１の色が残ってしまう。
【０００８】
また、通常、Ｖ溝部２１の着色は表面部２０の着色より濃色であるため、その色を隠蔽して、表面部２０の色を着色するためには必然的に厚塗りになり、表面部２０の風合いが損なわれ、意匠性が低下するといった問題があった。
【０００９】
また、初めに表面部２０に塗布して掻き取った着色剤３１及び、厚塗りにした着色剤３０の使用量が多くなることにより、無駄な着色剤のコストがかかるといった問題もあった。
【００１０】
このような問題を解決するための、Ｖ溝部２１のみを選択的に着色する方法として、ディスペンサーやインクジェットによるＶ溝部２１のみの選択的な着色が考えられる。
【００１１】
しかしながら、表面部２０へのはみ出し等を起こさず、Ｖ溝部２１のみを着色するのは技術的に非常に困難である。また、通常、木質の基材１にＶ溝部２１を加工すると、加工面に凹凸が発生する場合がある。このＶ溝部の凹凸を着色剤の塗布で隠蔽するのは困難であり、Ｖ溝部の意匠性が劣るという問題もあった。
【００１２】
一方、木質床材には、表面部及びＶ溝部の耐水性等の付与を目的として、基材の表面部及びＶ溝部に化粧シートとして透明フィルムが接着されたものが提案されている（例えば特許文献１を参照）。
【先行技術文献】
【特許文献】
【００１３】
【特許文献１】特開２００３−４９５３０号公報
【発明の概要】
【発明が解決しようとする課題】
【００１４】
なお、このような基材の表面部及びＶ溝部に透明フィルムを接着した木質床材においても、透明フィルムの接着前に、基材の表面部とＶ溝部の色調を異なるものとしておく必要がある。しかしながら、この木質床材においては基材の表面部とＶ溝部を選択的に着色することは考慮されておらず、これらの点についての従来の問題点は未だ解決されていない。
【００１５】
本発明は、以上のとおりの事情に鑑みてなされたものであり、基材の表面部に対する着色剤等の着色材料の使用量を少なくすることができ、容易に基材の表面部とＶ溝部に選択的に異なる着色を施すことが可能な、木質床材の製造方法を提供することを課題としている。
【課題を解決するための手段】
【００１６】
本発明は、上記の課題を解決するために、以下のことを特徴としている。
【００１７】
即ち、本発明の木質床材の製造方法は、Ｖ溝部を有する基材の表面部及びＶ溝部に透明フィルムを接着して製造する木質床材の製造方法であって、Ｖ溝部に着色材料を供給した後、透明フィルムを表面部に接着し、次いで透明フィルムの上からＶ溝部に沿って加圧し、着色材料と透明フィルムを密着することを特徴とする。
【００１８】
また、この木質床材の製造方法においては、着色材料が流動性を有し、前記透明フィルムの上から前記Ｖ溝部に沿って加圧したときに前記Ｖ溝部に拡散することが好ましい。
【００１９】
また、この木質床材の製造方法においては、着色材料の供給として、断面Ｖ字で長尺形状の着色部材を載置することが好ましい。
【００２０】
また、この木質床材の製造方法においては、着色材料が接着機能を有することが好ましい。
【発明の効果】
【００２１】
本発明によれば、基材の表面部に対する着色材料の使用量を少なくすることができ、容易に基材の表面部とＶ溝部に選択的に異なる着色を施すことが可能な、木質床材の製造方法を提供することができる。
【図面の簡単な説明】
【００２２】
【図１】本発明の木質床材の製造方法の一実施形態を示す概略断面図である。
【図２】本発明の木質床材の製造方法の他の実施形態を示す概略断面図である。
【図３】従来の木質床材の着色方法を模式的に示した概略断面図である。
【発明を実施するための形態】
【００２３】
本発明の実施形態の木質床材の製造方法は、Ｖ溝部を有する基材の表面部及びＶ溝部に透明フィルムを接着して製造する木質床材の製造方法である。具体的には、まず、表面部のみに着色した後、Ｖ溝部に着色材料を供給し、透明フィルムを表面部に接着し、次いで前記透明フィルムの上からＶ溝部に沿って加圧し、着色材料と透明フィルムを密着するものである。
【００２４】
以下、本発明の木質床材の製造方法の実施形態を、図を用いて詳細に説明する。図１（Ａ）〜（Ｄ）は本発明の木質床材の製造方法の一実施形態を示す概略断面図である。
【００２５】
木質床材の製造方法の実施形態では、必要に応じて、まず基材１の表面部２０のみに着色を行う（図１（Ａ））。
【００２６】
基材１としては、通常木質床材の基材として用いられるものであれば特に制限はなく、例えば、木質基材、合板、ＭＤＦ、パーティクルボード、パーティクルボードと単板を積層したもの等を挙げることができる。これらの中でもパーティクルボードと単板を積層したものを好適に用いることができる。
【００２７】
表面部２０に塗布する着色材料３０は、通常木質床材の塗装に用いる着色材料であれば特に制限なく、例えば、水性顔料、油性染料等を用いることができる。なお、表面部２０が適度に着色した基材１を用いる場合は、表面部２０に着色材料３０を塗布しなくてもよい。
【００２８】
表面部２０の着色は、Ｖ溝部２１に着色材料３０が付着しないように、Ｖ溝部２１に当接しない硬質ローラー４０を用いて行う。硬質ローラー４０としては、例えば、金属ローラー、硬質ゴムローラー、バーコーター、硬質樹脂ローラー等を用いることができる。硬質ローラー４０を用いることにより、表面部２０のみに着色材料３０を塗布することができる。
【００２９】
次に、Ｖ溝部２１の底部に着色材料３１を供給する（図１（Ｂ））。
【００３０】
供給する着色材料３１の種類は、流動性を有する着色材料であり、次工程の透明フィルムの上からＶ溝部に沿って加圧したときにＶ溝部に拡散する流動性を有するものである。なお、着色材料３１の流動性は、着色材料３１の供給後に所定の加熱により発現するものであってもよい。
【００３１】
このような流動性を有する着色材料としては、例えば、ホットメルト着色剤、粘性を有する液状着色剤等を用いることができる。これらの中でも、作業性の観点からホットメルト着色剤を好適に用いることができる。
【００３２】
着色材料３１の供給方法は特に制限されるものではなく、例えばプランジャーやエアーを用いたディスペンサーによる供給等の供給方法を用いることができる。
【００３３】
次に、基材１の表面部２０及びＶ溝部２１の上部を覆うように、表面部２０に透明フィルム６０を接着する（図１（Ｃ））。
【００３４】
透明フィルム６０は、通常木質床材の表面に貼着する透明フィルムであれば制限なく用いることができ、具体的には、例えばポリプロピレンフィルム、ポリエチレンフィルム、ポリ塩化ビニルフィルム、ポリエステルフィルム、複数種類のオレフィンの共重合フィルム等の合成樹脂製フィルムを挙げることができる。なお、次工程でＶ溝部に沿って加圧することを考慮して、適度に伸びる特性を有する透明フィルムを用いることが望ましく、特にポリオレフィンのフィルムを好適に用いることができる。
【００３５】
透明フィルム６０の接着は、通常木質床材の表面にフィルムを接着する方法を用いることができ、具体的には、表面部２０の着色材料３０が定着した後、基材１の表面に接着剤を塗布し、その上に透明フィルム６０を貼り合わせて接着することができる。
【００３６】
また、表面部２０の着色材料３０として硬化して接着性を有する着色材料を用い、硬化する前に透明フィルム６０を貼り合わせた後に硬化させて接着してもよい。
【００３７】
次に、透明フィルム６０のＶ溝部２１の部分を、加圧手段４１によりＶ溝部２１に沿って押し込むように加圧し、着色材料３１と透明フィルム６０を密着させる（図１（Ｄ））。
【００３８】
透明フィルム６０をＶ溝部２１に沿って押し込む加圧手段４１は、特に制限はないが、例えば、Ｖ溝部の溝角度と同じ角度のエッジを有する治具を押し当てて加圧する手段が挙げられる。また、Ｖ溝部の溝角度と同じ角度のエッジを有するローラーを回転させながら押し当てて加圧する手段を用いることもできる。
【００３９】
このように、透明フィルム６０をＶ溝部２１に沿って押し込むように加圧することにより、Ｖ溝部２１の底部に供給した着色材料３１の流動性により、着色材料３１はＶ溝部２１表面全体に広がり、透明フィルム６０を通してＶ溝部２１が着色された状態が見える。
【００４０】
なお、Ｖ溝部２１の底部に供給する着色材料３１としてホットメルト着色材料を用いた場合には、加圧手段４１として、加熱しながら加圧する手段を用いることにより、ホットメルト着色材料に流動性を付与することができる。
【００４１】
以上の実施形態の木質床材の製造方法により、容易に表面部２０及びＶ溝部２１に異なった色の着色を施すと同時に、表面に透明フィルム６０を接着することが可能となる。
【００４２】
また、Ｖ溝の加工により生じる可能性のあるＶ溝部２１表面の凹凸についても、Ｖ溝部２１に着色材料３１を供給し、流動させた上に透明フィルム６０を接着するので、凹凸が隠蔽され、優れた意匠性を得ることが可能となる。
【００４３】
以上、本発明を一実施形態に基づいて説明したが、もちろん本発明は上記実施形態に限定されるものではなく、種々の変形、変更が可能である。
【００４４】
例えば、図２（Ａ）〜（Ｄ）に示す他の実施形態として、Ｖ溝部２１の底部に流動性を有する着色材料３１を供給する代わりに、断面Ｖ字で長尺形状に形成した着色部材３２をＶ溝部２１に載置してもよい（図２（Ｂ））。
【００４５】
この断面Ｖ字で長尺形状の着色部材３２としては、例えば、Ｖ溝部２１の溝形状に容易に成形できるプラスチックや硬質フィルム等を用いて、断面Ｖ字で長尺形状の着色部材２１とすることができる。
【００４６】
また、着色部材３２の形状はＶ溝部２１の溝形状に合う形状であれば特に制限はなく、Ｖ溝部２１の傾斜角度、深さ、長さ等に合わせて適宜設定することができる。
【００４７】
この実施形態では、透明フィルム６０を加圧手段４１によりＶ溝部２１に沿って押し込むことで、着色部材３２と透明フィルム６０が密着し、着色部材３２が固定される。また、着色部材３２を載置した状態で、表面部の高さまで着色部材３２があることから、加圧手段４１によりＶ溝部２１に沿って押し込むように加圧する工程（図２（Ｄ））においては、流動性等を考慮する必要がない。
【００４８】
なお、この実施形態における図２（Ａ）、（Ｃ）、（Ｄ）の工程は、前記実施形態の対応する工程（図１（Ａ）、（Ｃ）、（Ｄ））と同様であるため説明を省略する。
【実施例】
【００４９】
以下、実施例により本発明をさらに詳しく説明するが、本発明はこれらの実施例に何ら限定されるものではない。
＜実施例１＞
実施例１として、以下に示す材料を用いて、図１に示す木質床材の着色手順に従って木質床材を作製した。
基材：パーティクルボードの表面に表面材としてブナ単板を積層したもの
表面部着色材料：水性顔料（ライトブラウン色）
Ｖ溝部着色材料：色付きホットメルト着色剤（ダークブラウン色）
透明フィルム：ポリオレフィン透明フィルム（厚み０．１ｍｍ、タツノ化学社製）
＜実施例２＞
実施例２として、以下に示す材料を用いて、図２に示す木質床材の着色手順に従って木質床材を作製した。なお、着色は、実施例１と同程度の着色となるような色を用いた。
基材：パーティクルボードの表面に、表面材としてブナ単板を積層したもの
表面部着色材料：水性顔料（ライトブラウン色）
Ｖ溝部着色部材：溝同形状のプラスチック（ダークブラウン色）
透明フィルム：ポリオレフィン透明フィルム（厚み０．１ｍｍ、タツノ化学社製）
＜比較例＞
比較例として、以下に示す材料を用いて、図３に示す木質床材の着色手順に従って木質床材を作成した。なお、着色は、実施例１と同程度の着色となるような色を用いた。また、着色後に表面仕上げとして透明樹脂塗装を行った。
基材：パーティクルボードの表面に、表面材としてブナ単板を積層したもの
表面部着色材料：水性顔料（ライトブラウン色）
Ｖ溝部着色材料：水性顔料（ダークブラウン色）
表面仕上げ：塗装（ＵＶ硬化アクリル系樹脂）
得られた実施例１、２及び比較例の木質床材について、以下の評価を行った。その結果を表１に示す。
（表面部着色材料使用量）
表面部に塗布した着色材料の使用量（ｇ／ｃｍ２）を求めた。
（表面部意匠性）
製造した木質板の表面部の意匠性を目視により以下の基準で評価した。
◎：非常に良い
○：良い（対象なし）
△：悪い
×：非常に悪い（対象なし）
（Ｖ溝部意匠性）
製造した木質板のＶ溝部の意匠性を目視により以下の基準で評価した。
○：良い
×：悪い
【００５０】
【表１】
2015147387.tif 000003
【００５１】
以上の結果より、実施例１、２の木質床材は全ての評価において、比較例と比較して優れた結果が得られた。
【００５２】
これに対して比較例では、表面部着色材料使用量が実施例１、２の２倍程度であった。これは、比較例のＶ溝部を着色する際に使用した無駄な着色材料と、掻き取り後に残った着色部を隠蔽する分の着色材料が必要であったことが原因であると考えられる。
【００５３】
また、比較例の表面部意匠性が劣っている理由としては、表面部の掻き取り後に残った着色部を隠蔽するために着色材料が厚塗りになったためであると考えられる。
【００５４】
また、パーティクルボードはチップの集合体であるため、Ｖ溝部の加工を行うと、加工面に凹凸が発生する。比較例のように、Ｖ溝部に対して水性顔料のみを塗布して凹凸を隠蔽するのは困難であるため、Ｖ溝部意匠性が劣ったものと考えられる。これに対して、実施例１、２のようにフィルムで覆うことにより凹凸感の隠蔽が可能となり、優れたＶ溝部意匠性が得られたものと考えられる。
【００５５】
これらの結果から、本発明の木質床材の製造方法によれば、基材の表面部に対する着色材料の使用量を少なくすることができ、さらに、基材の表面部とＶ溝部に選択的に異なる着色を施すとともに、優れた意匠性を有する木質床材を得られることが確認された。
【符号の説明】
【００５６】
１  基材
２０  表面部
２１  Ｖ溝部
３１  着色材料
６０  透明フィルム
【図１】
2015147387.tif 000004
【図２】
2015147387.tif 000005
【図３】
2015147387.tif 000006